(57)【要約】【課題】バーナ下方から上方に流れる気流があっても、炎の揺らぎが少なく長い輝炎を形成しやすいガスバーナの使用方法を提供すること。【解決手段】可燃性ガスを導入するガス導入管と、このガス導入管の先端に連通され、その頂部に１個または２個以上の炎孔が形成されたガスノズルと、このガスノズルの外周を覆い、途中部位より先端側が先細り状、基端側が略筒状に形成されたドラフト管と、ガスノズルから噴出される可燃性ガスに点火を行う点火装置とを少なくとも備えたガスバーナを使用するにあたり、ガスバーナを火炎形成空間と区画して設置するとともに、この区画部分に形成されるドラフト管周囲の隙間に整流用部材を配置する。【選択図】  図１３
2006292186.tif 000002
【特許請求の範囲】
【請求項１】
可燃性ガスを導入するガス導入管と、このガス導入管の先端に連通され、その頂部に１個または２個以上の炎孔が形成されたガスノズルと、このガスノズルの外周を覆い、途中部位より先端側が先細り状、基端側が略筒状に形成されたドラフト管と、前記ガスノズルから噴出される可燃性ガスに点火を行う点火装置とを少なくとも備えたガスバーナの使用方法であって、
前記ガスバーナを火炎形成空間と区画して設置するとともに、この区画部分に形成される前記ドラフト管周囲の隙間に整流用部材を配置することを特徴とするガスバーナの使用方法。
【請求項２】
前記整流用部材は、格子状であることを特徴とする請求項１に記載のガスバーナの使用方法。
【請求項３】
前記整流用部材の孔径を調節することにより、火炎横方向に流れる気流の速度よりも、バーナ下方から上方へ流れる気流の速度を相対的に大きくすることを特徴とする請求項１または２に記載のガスバーナの使用方法。
【請求項４】
前記ガスノズルの頂部は、前記ドラフト管の先細り部分に配置されるとともに、前記炎孔は、前記ガスノズルの頂部を含む面上であって前記ドラフト管の先端部開口を垂直に投影した投影面内に形成され、前記炎孔の直径は０．１〜３．０ｍｍの範囲内にあり、前記炎孔が２個以上形成されている場合には、その炎孔ピッチが１〜１０ｍｍの範囲内にあることを特徴とする請求項１から３の何れかに記載のガスバーナの使用方法。
【請求項５】
前記点火装置は、セラミックヒータまたは種火ガスバーナであることを特徴とする請求項１から４の何れかに記載のガスバーナの使用方法。
【発明の詳細な説明】
【技術分野】
【０００１】
本発明は、ガスバーナの使用方法に関し、さらに詳しくは、演出、装飾、照明、展示などにおいて好適なガスバーナの使用方法に関するものである。
【背景技術】
【０００２】
従来、不完全燃焼に見られる赤黄色い火炎、いわゆる、輝炎による演出効果をねらった装置に用いられるガスバーナとして、例えば、かがり火装置用のガスバーナが知られている（特許文献１参照）。
【０００３】
このかがり火装置用ガスバーナは、ガス管が挿入される支柱の上端に不完全燃焼による炎を生ずる噴出ノズルを突設し、その噴出ノズルの外周に網状の内風防カバーを取り付け、さらにこの内風防カバーの外周に同じく網状の外風防カバーを取り付けた構造を有している。
【０００４】
ところが、このガスバーナは、かがり火用であることから、ゆらゆらとした広がりのある炎を形成することはできるが、炎の揺らぎが少ないロウソクのような、定常な火炎を形成することはできない。
【０００５】
そのため、本件出願人は、主に、ガスノズル形状の最適化と、ガスノズルの外周にドラフト管を配置することによる燃焼用空気の整流化効果などにより、炎の揺らぎが少なく長い輝炎を形成可能なガスバーナを開発し、既に特許出願を行っている（特許文献２参照）。
【０００６】
【特許文献１】特開平１１−３３９５０２号公報
【特許文献１】特願２００３−４３１７３０号
【発明の開示】
【発明が解決しようとする課題】
【０００７】
このガスバーナは、これ単体では、炎の揺らぎが少なく、長い輝炎を形成可能である。しかしながら、このガスバーナを、バーナ下方から上方に流れる気流がある場所などに設置した場合、その上昇気流により炎が揺らぎやすくなることがあり、その対策を施す必要があった。
【０００８】
より具体的には、例えば、上記ガスバーナを、演出舞台下の機械室内などに設置し、演出舞台上の空間に火炎を形成しようとする場合、ドラフト管周囲に形成された隙間を通り、機械室から演出舞台上の空間へと吹き抜ける気流が発生することがある。
【０００９】
そのため、折角ガスバーナ単体では、炎の揺らぎが少なく、長い輝炎を形成可能であるのに、バーナの設置箇所によっては、吹き抜け気流などの影響により、ガスバーナの炎が揺らぎやすくなるといったことがあった。
【００１０】
そこで、本発明が解決しようとする課題は、バーナ下方から上方に流れる気流があっても、炎の揺らぎが少なく長い輝炎を形成しやすいガスバーナの使用方法を提供することにある。
【課題を解決するための手段】
【００１１】
上記課題を解決するため、本発明に係るガスバーナの使用方法は、可燃性ガスを導入するガス導入管と、このガス導入管の先端に連通され、その頂部に１個または２個以上の炎孔が形成されたガスノズルと、このガスノズルの外周を覆い、途中部位より先端側が先細り状、基端側が略筒状に形成されたドラフト管と、ガスノズルから噴出される可燃性ガスに点火を行う点火装置とを少なくとも備えたガスバーナを使用するにあたり、ガスバーナを火炎形成空間と区画して設置するとともに、この区画部分に形成されるドラフト管周囲の隙間に整流用部材を配置することを要旨とする。
【００１２】
この際、上記整流用部材は、格子状であることが好ましい。
【００１３】
また、上記整流用部材の孔径を調節することにより、火炎横方向に流れる気流の速度よりも、バーナ下方から上方へ流れる気流の速度を相対的に大きくすることが好ましい。
【００１４】
また、使用するガスバーナは、そのガスノズルの頂部が、ドラフト管の先細り部分に配置されるとともに、炎孔は、ガスノズルの頂部を含む面上であってドラフト管の先端部開口を垂直に投影した投影面内に形成され、炎孔の直径は０．１〜３．０ｍｍの範囲内にあり、炎孔が２個以上形成されている場合には、その炎孔ピッチが１〜１０ｍｍの範囲内にあることが好ましい。
【００１５】
また、上記点火装置は、セラミックヒータまたは種火ガスバーナであることが好ましい。
【発明の効果】
【００１６】
本発明に係るガスバーナの使用方法によれば、ガスバーナを火炎形成空間と区画して設置するとともに、この区画部分に形成されるドラフト管周囲の隙間に整流用部材を配置することとしている。
【００１７】
そのため、ガスバーナを設置した側の区画空間内からドラフト管周囲の隙間を通じて火炎形成空間へと吹き抜ける気流を整流することができる。
【００１８】
これにより、吹き抜け気流の空間的な速度ムラが抑えられ、火炎形成空間に形成される輝炎の傾きが少なくなる。また、時間的な速度ムラも抑えられることから、輝炎が巻き込む空気の速度ムラが抑えられ、火炎外表面で均一に燃焼反応が進み、火炎面の乱れを抑制することが可能となる。この結果、火炎全体の揺らぎを抑制することが可能となる。
【００１９】
この際、上記整流用部材が格子状であれば、バーナ下方から上方へ流れる気流の整流化作用に優れる。
【００２０】
また、上記整流用部材の孔径を調節することにより、火炎横方向に流れる気流の速度よりも、バーナ下方から上方へ流れる気流の速度を相対的に大きくした場合には、相対的に火炎横方向に流れる気流の速度が小さくなるので、火炎をより安定に燃焼させることが可能となる。
【００２１】
ここで、使用するガスバーナのガスノズルの頂部が、ドラフト管の先細り部分に配置されるとともに、炎孔が、ガスノズルの頂部を含む面上であってドラフト管の先端部開口を垂直に投影した投影面内に形成されており、炎孔の直径が０．１〜３．０ｍｍの範囲内にあり、炎孔が２個以上形成されている場合には、その炎孔ピッチが１〜１０ｍｍの範囲内にあれば、ガスバーナ単体として、炎の揺らぎが少なく、長い輝炎を形成しやすい。そのため、上記整流用部材を配置することによる効果と相まって、バーナ下方から上方に流れる気流などがある場合であっても、炎の揺らぎが少なく長い輝炎を一層形成しやすくなる。
【００２２】
また、上記点火装置がセラミックヒータまたは種火ガスバーナであれば、静音着火性に優れるので、演出効果などに優れる。
【発明を実施するための最良の形態】
【００２３】
以下に、本実施形態に係るガスバーナの使用方法（以下、「本使用方法」ということがある。）について説明する。
【００２４】
１．本使用方法に用いられるガスバーナ
１．１  ガスバーナの構成
先ず、本使用方法に好適に用いることが可能なガスバーナの構成について例示する。図１は、本使用方法に好適に用いることが可能なガスバーナの一概略構成を示した断面図である。
【００２５】
このガスバーナ１０は、基本的には、可燃性ガスを導入するガス導入管１１と、このガス導入管１１の先端に連通され、その頂部１７に１個または２個以上の炎孔１６が形成されたガスノズル１２と、このガスノズル１２の外周を覆い、途中部位より先端側が先細り状、基端側が略筒状に形成されたドラフト管１３と、ガスノズル１２から噴出される可燃性ガスに点火を行う点火装置１４とを少なくとも備えている。以下、各構成について詳細に説明する。
【００２６】
ガスバーナ１０において、ガス導入管１１は、例えば、鋳鉄などの材料により略筒状に形成されており、その基端部には、ガスガバナーなどのガス流量調整器（図示されず）を介して上流側に配設された可燃性ガス源（図示されず）が接続される。これにより、圧力調整された所望の可燃性ガス（都市ガス、天然ガス、プロパンガスなどの全ての可燃性ガス）をガス導入管１１内に引き込むことができる。一方、ガス導入管１１の先端部には、上方に向かって漸次拡径された継ぎ手部材１５などを介してガスノズル１２が取り付けられる。
【００２７】
ここで、ガス導入管１１に導入される可燃性ガスのガス圧は、炎高さとの兼ね合いなどから適宜調整されるが、１×１０−３〜１×１０６Ｐａ、好ましくは、１×１０−２〜１×１０５Ｐａ、より好ましくは、１×１０−１〜１×１０４Ｐａの範囲内で調整されるのが望ましい。また、燃焼範囲は、０．００１〜３５Ｋｗ、好ましくは、０．０１〜３０Ｋｗ、より好ましくは、０．１〜１０Ｋｗの範囲内で調整されるのが好ましい。
【００２８】
ガスバーナ１０において、ガスノズル１２は、例えば、ステンレスまたは真ちゅうなどの材料により略筒状に形成されており、その先端部には、１個または２個以上の炎孔１６を備えた頂部１７が設けられ、全体として閉口状態とされている。一方、ガスノズル１０の基端部は、上述した継ぎ手部材１５などを介してガス導入管１１と連通され、ガス導入管１１内に導入された可燃性ガスがガスノズル１２内部に供給されるようになっている。
【００２９】
ここで、ガスノズル１２の頂部１７には、直径０．１〜３．０ｍｍ、好ましくは、直径０．１〜２．０ｍｍ、より好ましくは、直径０．３〜１．５ｍｍの炎孔１６が１個または２個以上形成されていると良い。この炎孔１６の直径は、使用する可燃性ガスの発熱量などを考慮して上記範囲より適宜選択することができる。炎孔１６の直径が０．１ｍｍより小さくなると、長い炎の安定性が悪くなり、さらにメンテナンスし難いなどの問題が生じる傾向が見られる。一方、炎孔１６の直径が３．０ｍｍより大きくなると、炎高さが短くなったり、炎の根本付近が乱れる傾向が見られる。したがって、これらに留意すると良い。
【００３０】
また、炎孔１６が２個以上形成される場合には、その炎孔ピッチは、１〜１０ｍｍ、好ましくは、２〜８ｍｍ、より好ましくは、３〜７ｍｍの範囲内にあると良い。炎孔ピッチが１ｍｍより小さくなると、炎の根本付近が乱れる傾向が見られる。一方、炎孔ピッチが１０ｍｍより大きくなると、炎が分割して太くならない傾向が見られる。したがって、これらに留意すると良い。
【００３１】
また、炎孔１６は、例えば、直線状、格子状、円形状（ドーナツ状）などの形状で配置することができる。好ましくは、燃焼用空気の流入量をたくさんとるなどの観点から、炎孔１６は格子状に配置されていると良い。図２に、炎孔の配置の一例を示す。図２に示されるガスノズル１２は、例えば、ガスノズル１２の頂部１７上に、縦４列、横４列、合計１６個の炎孔１６を格子状に配列形成したものである。なお、炎孔配置は、縦４列×横４列以外の縦複数列×横複数列の格子状であっても良いことは言うまでもない。
【００３２】
ガスバーナ１０において、ドラフト管１３は、ガスノズル１２の外周に覆設される。ドラフト管１３は、例えば、ステンレスなどの材料により、途中部位より先端側が先細り状、基端側が略筒状に形成されており、基端部開口より燃焼用空気を取り込むことができるようになっている。
【００３３】
また、ドラフト管１３は、ガスノズル１２の頂部１７がドラフト管１３の先細り部分に位置するように配置すると良い。好ましくは、先細り部分の中間部分に配置すると良い。なお、ドラフト管１３の固定は、例えば、ドラフト管１３の外側より蝶ボルトなどの締結部材１８を複数本挿入し、ガスノズル１２の周囲に取り付けた五徳爪などの固定部材１９に締結することなどにより行えば良い。
【００３４】
また、ドラフト管１３の高さは、１０〜２０００ｍｍ、好ましくは、５０〜１５００ｍｍ、より好ましくは、１００〜１０００ｍｍの範囲内にあると良い。ドラフト管１３の高さが１０ｍｍより小さくなると、炎が乱れる傾向が見られる。一方、ドラフト管１３の高さが２０００ｍｍより大きくなると、炎の乱れを防止する効果も頭打ちになる傾向が見られる。したがって、これらに留意すると良い。なお、ドラフト管１３の基端側における筒径は、固定部材１９を取り付けた際に、燃焼用空気の流れを妨げないように空間部分が確保されておれば、特に限定されるものではない。
【００３５】
ここで、ガスバーナ１０において、ガスノズル１２の頂部１７の炎孔１６とドラフト管１３の先端部開口２０との関係は次のようになっていると良い。すなわち、ガスノズル１２の頂部１７の炎孔１６は、ガスノズル１２の頂部１７を含む面上であってドラフト管１３の先端部開口２０を垂直に投影した場合に、その投影面内に含まれるように形成されていると良い。この場合、ドラフト管１３の先端部開口２０からガスノズル１２の頂部１７を垂直にのぞき込めば、頂部１７に形成されている全ての炎孔１６を視認することができる。
【００３６】
例えば、図２に示したガスノズル１２についてガスノズル１２の頂部１７の炎孔１６とドラフト管１３の先端部開口２０との関係を具体的に図示すれば、図３に示すように、ドラフト管１３の先端部開口２０の内径より内側に１６個の炎孔１６全てが配置されることとなる。
【００３７】
このような炎孔配置とするのが好ましい理由は次の通りである。第１に、各炎孔間に燃焼用空気を流入させるためである。第２に、火炎の根本付近は、この燃焼用空気により青色の炎が形成され、燃焼が安定して吹き消えなどの現象が発生し難くなるためである。第３に、炎がドラフト管１３の内壁２１に当たれば、その部分で熱のやり取りが発生し、空気の流入が少なくなることによりドラフト効果が効き難くなってドラフト管１３内における整流作用が弱くなってしまうので、これを防ぐためである。
【００３８】
ガスバーナ１０において、点火装置１４は、ドラフト管１３の外側に取り付けられており、その点火部位２２は、ドラフト管１３の内部に挿通され、ガスノズル頂部１７より上方に配置される。具体的な点火装置１４としては、セラミックヒータ、種火ガスバーナなどが挙げられる。これらは静音着火性などに優れるので、演出効果などに優れるからである。より好ましくは、スパーク音がほとんどない状態で点火できるなどの利点があることから、窒化珪素などを使用したセラミックヒータなどを好適に用いることができる。
【００３９】
１．２  ガスバーナ単体の作用
次に、上記構成を備えたガスバーナ１０単体の作用について説明する。ガスバーナ１０によれば、ガス導入管１１よりガスノズル１２内に導入された可燃性ガスは、ガスノズル頂部１７の炎孔１６より噴出する。点火装置１４により噴出ガスに点火を行うと、ガスノズル１２の上方には輝炎が形成される。
【００４０】
ここで、ガスバーナ１０において、ガスノズル１２の頂部１７に直径０．１〜３．０ｍｍの炎孔１６が１個または２個以上形成されており、さらに、炎孔１６が２個以上形成されている場合にその炎孔ピッチが１〜１０ｍｍの範囲内とされているときには、炎孔１６からのガスの噴出速度が均一化されやすい。また、炎孔１６が２個以上形成されていても、炎が分割され難く、太くて、根本部分の乱れが少ない炎を形成することができる。
【００４１】
また、このガスノズル１２の外周には、その途中部位より先端側が先細り状、基端側が略筒状に形成されたドラフト管１３が設けられているので、燃焼によるドラフト効果により、ドラフト管１３内では炎の周りに上方向の強い空気流が発生する。そのため、噴流火炎周りの流速が均一化され、火炎周辺における速度勾配が減少し、渦の発生が抑制され、炎の乱れが抑制される。この場合、ガスノズル１２の頂部１７がドラフト管１３の先細り部分に配置されておれば、上記作用に優れる。
【００４２】
また、ガスノズル１２の頂部１７の炎孔１６が、ガスノズル１２の頂部１７を含む面上であってドラフト管１３の先端部開口２０を垂直に投影した投影面内に形成されている場合には、炎孔１６からの炎がドラフト管１３の内壁に触れ難い。そのため、この場合には、炎の乱れをより抑制しやすくなる。
【００４３】
したがって、上記ガスバーナ単体では、主に、ガスノズル形状の最適化および燃焼用空気の整流化が図られているので、ガス流量を調節して長い輝炎を形成した場合であっても、炎の揺らぎが極めて少なくなる。
【００４４】
次に、この種のガスバーナを用いた本使用方法について説明する。本使用方法は、上記ガスバーナを、バーナ下方から上方に流れる気流がある場所、さらには、バーナ火炎横方向に流れる気流がある場所などに設置する場合に、バーナ設置箇所に起因する気流などの外的影響を抑制し、上記ガスバーナ単体の作用をより一層高めるための方法である。以下、詳細に説明する。
【００４５】
２．本使用方法
本使用方法では、上記ガスバーナを火炎形成空間と区画して設置するとともに、この区画部分に形成されるドラフト管周囲の隙間に整流用部材を配置することとしている。
【００４６】
ここで、本使用方法において、火炎形成空間とは、上記ガスバーナから噴出される火炎が形成される空間を指す。具体的には、例えば、演出舞台などにおいて上記ガスバーナを使用する場合には、演出舞台上の空間などがこれに該当する。
【００４７】
したがって、上記ガスバーナを火炎形成空間と区画して設置するとは、火炎形成空間とガスバーナの設置空間とを区画壁などにより区画し、火炎形成空間以外の場所にガスバーナ本体を主に設置することを指す。具体的には、例えば、演出舞台下の機械室内などに、ガスバーナ本体を主に設置し、演出舞台上にガスバーナによる火炎が形成されるようにする場合などを例示することができる。
【００４８】
この際、ガスバーナ本体は、火炎形成空間にその一部が突出していても良い。好ましくは、見栄えなどの観点から、ガスバーナ本体は、ドラフト管の先端開口部を区画部分の近傍に配置するのが良い。
【００４９】
また、本使用方法において、区画部分に形成されるドラフト管周囲の隙間とは、火炎形成空間とバーナ設置空間との境界部近傍において、ドラフト管の外表面とバーナ設置空間を構成する部材との間に形成される隙間を主に意味する。なお、バーナ設置空間を構成する部材としては、例えば、上記区画壁、バーナ周囲に配設される断熱部材、バーナ固定部材などを例示することができる。
【００５０】
通常、この種の隙間には、区画部分よりも下の空間（バーナの設置空間）から区画部分よりも上の空間（火炎形成空間）に向かって流れる気流（以下、「吹き抜け気流」ということがある。）が発生することが多い。本使用方法では、この隙間を流れる吹き抜け気流を整流するのである。
【００５１】
本使用方法において、上記整流用部材は、上記隙間のほぼ全域に亘って設置されると良い。ここで、整流用部材は、吹き抜け気流を通す多数の孔を有する部材であれば、特に限定されることなく使用することができる。また、整流用部材の形状としては、格子状（正格子、斜め格子など）、ハニカム状（六角形、八角形、その他の多角形）、多孔質などを例示することができる。好ましくは、整流用部材の形状は、格子状であると良い。吹き抜け気流の整流化作用に優れるからである。具体的な整流用部材としては、例えば、金網、ハニカム体、多孔質体などを例示することができる。なお、金網は、メッシュ数、すなわち、孔径の異なるものが多数市販されており、容易に入手可能であるため、特に好適に用いることができる。
【００５２】
ここで、上記整流用部材は、一般的に、その孔径が小さくなるにつれて、吹き抜け気流の速度ムラが小さくなる傾向が見られる。一方、その孔径が大きくなるにつれて、吹き抜け気流の速度が大きくなる傾向が見られる。したがって、整流用部材の孔径を適宜調節することにより吹き抜け気流を良好な範囲に整流すれば良い。
【００５３】
この際、例えば、演出舞台上などの火炎形成空間に、火炎横方向に流れる気流がある場合には、整流用部材の孔径を調節するにあたり、火炎横方向に流れる気流の速度よりも、吹き抜け気流の速度を相対的に大きくするようにすると良い。このようした場合には、相対的に火炎横方向に流れる気流の速度が小さくなるので、火炎をより安定に燃焼させることが可能となるからである。
【実施例】
【００５４】
以下、本発明を実施例により詳細に説明する。初めに、図４および図５に示す形状のガスバーナを作製した。なお、ガスノズルの材質には、真ちゅうを用い、ドラフト管の材質には、厚さ０．８ｍｍのＳＵＳ３０４を用いた。また、ドラフト管の下部に、炎監視装置（ＵＶ）を設置した。
【００５５】
次に、得られたガスバーナを用いて輝炎を形成した。この際、可燃性ガスとして１３Ａガスを用い、ガス圧力は０．２ＫＰａとした。
【００５６】
図６に、その結果を示す。図６に示すように、作製したガスバーナ単体によれば、約４０ｃｍ程度の長い輝炎を極めて揺らぎのない状態で形成できることが分かる。
【００５７】
次に、この作製したガスバーナを、演出用舞台に設置した。すなわち、図７に示すように、ガスバーナ１０のドラフト管１３の先端開口部２０が、演出舞台３０面とほぼ同じ高さになるようにして、演出用舞台３０下の機械室３１内にガスバーナ１０を設置した。なお、ガスバーナ１０の周囲には、断熱部材３２ａ〜３２ｃを配置してある。
【００５８】
この際、保持部材３３に保持された断熱部材３２ａの内周面と、ガスバーナ１０のドラフト管１３の外表面との隙間３４は約１３５ｍｍ程度とした。
【００５９】
次に、この隙間３４を流れる吹き抜け空気の状態を調べた。すなわち、図８に示すように、測定点Ａ、Ｂ、Ｃ、Ｄ（断熱部材３２ａの内周面より約５ｍｍの位置）において、吹き抜け空気速度を測定するとともに、火炎の様子を観察した。なお、火炎の形成条件は、上記と同様である。
【００６０】
その結果を表１および図９に示す。
【００６１】
【表１】
2006292186.tif 000003
【００６２】
表１によれば、測定点Ａ、Ｂ、Ｃ、Ｄにおいて、平均吹き抜け空気速度に差が生じるという空間的な速度ムラ、および、各測定点での時間的な速度ムラが発生していることが分かる。また、整流用部材を隙間に配置しない場合には、図９に示すように、火炎が非常に不安定で乱れやすく、火炎をシャープにかつ安定に形成することができていないことが分かる。
【００６３】
これは、図１０に模式的に示すように、整流用部材を隙間部分に配置しない場合には、（１）空間的な速度ムラにより、火炎３５の前後左右で吹き抜け空気３６の速度に差が生じ（図中矢印Ａ１）、火炎３５が前後左右に傾く、（２）時間的な速度ムラにより局所的に渦が発生し（図中矢印Ａ２）、火炎面が乱れるなどの現象が生じているためであると推察される。
【００６４】
次に、図１１に示すように、ドラフト管１３外周の隙間３４に整流用部材としての金網３７（メッシュ数１６）を配置し、上記と同様にして、測定点Ａ、Ｂ、Ｃ、Ｄにおける吹き抜け空気速度を測定するとともに、火炎の様子を観察した。
【００６５】
その結果を表２および図１２に示す。
【００６６】
【表２】
2006292186.tif 000004
【００６７】
表２および表１によれば、金網３７を配置することにより、測定点Ａ、Ｂ、Ｃ、Ｄにおいて、吹き抜け空気の空間的な速度ムラが抑えられ（標準偏差０．３４→０．１５）、火炎の傾きがなくなった。また、時間的な速度ムラも抑えられ、火炎が巻き込む空気の速度ムラを抑えることで（時間的な速度ムラの平均値０．３１→０．１２）、火炎外表面で均一に燃焼反応が進み、火炎面の乱れを抑制できた。この結果、図１２に示すように、火炎全体の揺らぎが抑えられた。
【００６８】
これは、図１３に模式的に示すように、整流用部材である金網３７により、機械室３１内からの吹き抜け空気３６を整流することができたためである。
【００６９】
次に、上記金網のメッシュ数を１６から１２に変更し（孔径を大きくした）、舞台上に形成される火炎に横風０．４ｍ／ｓをあてた以外は、上記と同様にして測定点Ａ、Ｂ、Ｃ、Ｄにおける吹き抜け空気速度を測定した。その結果を表３に示す。
【００７０】
【表３】
2006292186.tif 000005
【００７１】
表３および表２によれば、メッシュ数が大きい、すわなち、金網の孔径が小さくなるほど、吹き抜け空気の時間的な速度ムラが小さくなり、火炎の安定性が良くなることが分かる。また、メッシュ数が小さい、すなわち、金網の孔径が大きくなるほど、吹き抜け空気速度が大きくなり、相対的に横風の影響を受けにくくなり、火炎が安定性が良くなることが分かる。なお、火炎にあてる横風が０．４ｍ／ｓの場合、最適な金網のメッシュ数は１２〜１６であった。
【００７２】
以上、本実施例に係るガスバーナの使用方法について説明したが、上記実施例は本発明を何ら限定するものではなく、その要旨を逸脱しない範囲内において種々の変形・改良が可能なものである。
【００７３】
例えば、上記実施例では、整流用部材として金網を用いたが、その他にもハニカム体、多孔質体などを用いても良く、特に限定されるものではない。
【図面の簡単な説明】
【００７４】
【図１】本使用方法に好適に用いることが可能なガスバーナの概略構成を示した断面図である。
【図２】頂部に、縦４列、横４列、合計１６個の炎孔を格子状に配列形成したガスノズルを示した図である。
【図３】図２に示したガスノズルについて、ガスノズル頂部の炎孔とドラフト管の先端部開口との関係を示した図である。
【図４】実施例に用いたガスバーナの形状を示した図である。
【図５】実施例に用いたガスバーナのガスノズル頂部の形状を示した図である。
【図６】実施例に用いたガスバーナ単体により輝炎を形成した際の図である。
【図７】演出用舞台にガスバーナを設置した状態を示した断面図である。
【図８】隙間に流れる吹き抜け空気速度を調べる際の測定点を示した図である。
【図９】整流用部材を配置していない場合に、演出用舞台上に形成される火炎を示した図である。
【図１０】整流用部材を配置していない場合に、演出用舞台上に形成される火炎を模式的に示した図である。
【図１１】演出用舞台にガスバーナを設置し、隙間に整流用部材として金網を配置した状態を示した断面図である。
【図１２】整流用部材を配置した場合に、演出用舞台上に形成される火炎を示した図である。
【図１３】整流用部材を配置した場合に、演出用舞台上に形成される火炎を模式的に示した図である。
【符号の説明】
【００７５】
１０  ガスバーナ
１１  ガス導入管
１２  ガスノズル
１３  ドラフト管
１４  点火装置
１６  炎孔
１７  頂部
２０  先端部開口
２１  内壁
３０  演出舞台
３１  機械室
３２ａ〜ｃ  断熱部材
３３  保持部材
３４  隙間
３５  火炎
３６  吹き抜け空気
３７  整流用部材（金網）
【図１】
2006292186.tif 000006
【図２】
2006292186.tif 000007
【図３】
2006292186.tif 000008
【図４】
2006292186.tif 000009
【図５】
2006292186.tif 000010
【図７】
2006292186.tif 000011
【図８】
2006292186.tif 000012
【図１０】
2006292186.tif 000013
【図１１】
2006292186.tif 000014
【図１３】
2006292186.tif 000015
【図６】
2006292186.tif 000016
【図９】
2006292186.tif 000017
【図１２】
2006292186.tif 000018